(57)【要約】【課題】建物の外壁面に対する突出角度が異なる種々の排水パイプに接続でき、かつ、水漏れの問題を生じない排水ますを提供することである。【解決手段】排水ます１０は、建物の外壁面から突出する排水パイプ５０と竪樋６０とを接続する排水ます１０であって、竪樋６０の上側に嵌合接続される本体筒部１１と、本体筒部１１の側壁１２に接続され、排水パイプ５０が挿入される枝管１３とを含む。枝管１３の先端側開口は、上下方向に長い楕円形状であり、枝管１３は、内周面の上下方向に沿った断面形状が、先端から根元側端に向かって徐々に真円形状に近づくように形成される。【選択図】図５
2020133348.tif 000002
【特許請求の範囲】
【請求項１】
建物の外壁面から突出する排水パイプと竪樋とを接続する排水ますであって、
前記竪樋の上側に嵌合接続される本体筒部と、前記本体筒部の側壁に接続され、前記排水パイプが挿入される枝管とを含み、
前記枝管の先端側開口は、上下方向に長い楕円形状であり、
前記枝管は、内周面の上下方向に沿った断面形状が、先端から根元側端に向かって徐々に真円形状に近づくように形成される、
排水ます。
【請求項２】
請求項１に記載の排水ますにおいて、
前記枝管の内周面の根元側端は、真円形状である、
排水ます。
【請求項３】
請求項１または請求項２に記載の排水ますにおいて、
前記本体筒部の下端部に形成され貫通孔を有する下側板部と、前記下側板部の外周縁から長手方向に突出する角形筒状の外筒と、前記外筒の内側で前記下側板部の内周縁から、長手方向に突出し、円筒面部を有する内筒とを含む、
排水ます。
【発明の詳細な説明】
【技術分野】
【０００１】
本開示は、建物から突出する排水パイプと竪樋とを接続する排水ますに関し、特に建物の外壁面に対する突出角度が異なる種々の排水パイプに接続できる構成に関する。
【背景技術】
【０００２】
従来から、建物から突出する排水パイプと竪樋とを接続する排水ますが知られている。排水パイプは、例えばベランダ、または建物の屋上に設けられた排水口に接続された状態で建物の内部に配置されて、排水パイプの一部が外壁面から突出する。
【０００３】
特許文献１には、竪樋に接続される函体（本体筒部）から筒状体（枝管）が突出しており、この筒状体の内側に排水パイプが挿入されて接続されている。排水パイプから排水ますに送られた雨水は、排水ますに接続した竪樋を通って排出される。
【先行技術文献】
【特許文献】
【０００４】
【特許文献１】特開平１０−３１７６１７号公報
【発明の概要】
【発明が解決しようとする課題】
【０００５】
建物から突出する排水パイプは、建物によって外壁面に対する突出角度が異なる場合があり、突出角度は一定には限定されない。種々の突出角度の排水パイプに適用可能とするために、排水ますの枝管の内径を大きくすることが考えられるが、この場合は排水パイプ外周面と枝管内周面との隙間が大きくなるので、パッキン等で水密したり、水密が困難になる場合がある。このために、従来は、それぞれの排水パイプの突出角度に応じて異なる傾斜角度の枝管を有する排水ますを用意していたが、その場合には排水ますの共通化を図れないことにより、排水ますのコストが上昇する原因となる。
【０００６】
本開示の目的は、建物の外壁面に対する突出角度が異なる種々の排水パイプに接続でき、かつ、水漏れの問題を生じない排水ますを提供することである。
【課題を解決するための手段】
【０００７】
本開示の一態様の排水ますは、建物の外壁面から突出する排水パイプと竪樋とを接続する排水ますであって、竪樋の上側に嵌合接続される本体筒部と、本体筒部の側壁に接続され、排水パイプが挿入される枝管とを含み、枝管の先端側開口は、上下方向に長い楕円形状であり、枝管は、内周面の上下方向に沿った断面形状が、先端から根元側端に向かって徐々に真円形状に近づくように形成される、排水ますである。
【発明の効果】
【０００８】
本開示の一態様の排水ますによれば、枝管の先端側開口が上下方向に長い楕円形状であるので、建物の外壁面に対する突出角度が異なる種々の排水パイプに枝管を接続できる。また、枝管は、内周面の上下方向に沿った断面形状が、先端から根元側端に向かって徐々に真円形状に近づくように形成されるので、排水パイプを円筒状とする場合に、枝管と排水パイプとの接続部における水漏れの問題を防止できる。これにより、外壁面に対する突出角度が異なる種々の排水パイプに接続でき、かつ、水漏れの問題を生じない排水ますを実現できる。
【図面の簡単な説明】
【０００９】
【図１】実施形態の排水ますを含む外部排水接続構造を示す斜視図である。
【図２】図１の正面図である。
【図３】図２において、排水パイプを省略して右側から見た図である。
【図４】図２において、排水パイプを省略して下側から見た図である。
【図５】排水ますに排水パイプを接続した状態を示している図３のＡ−Ａ断面相当図である。
【図６】図５のＢ部拡大図である。
【図７】図２のＣ−Ｃ断面図である。
【図８】実施形態において、建物の外壁面から突出する排水パイプに排水ますを接続すると共に、外壁面に竪樋を取り付けた施工工程後の状態を示す図である。
【図９】実施形態の排水ますに、別例の竪樋を接続した状態を示している図４に対応する図である。
【発明を実施するための形態】
【００１０】
以下、図面を参照しながら、本開示に係る排水ますの実施形態を説明する。以下で説明する形状、個数、数値、材料等は、説明のための例示であって、排水ますの仕様により適宜変更することができる。以下では全ての図面において同等の要素には同一の符号を付して説明する。
【００１１】
図１〜図８を用いて実施形態を説明する。図１は実施形態の排水ます１０により、排水パイプ５０と竪樋６０とを接続した状態を示す斜視図である。図２は、図１の正面図である。図３は、図２において、排水パイプ５０を省略して右側から見た図であり、図４は、図２において、排水パイプ５０を省略して下側から見た図である。図１〜図２に示すように、外部排水接続構造１は、排水パイプ５０と、竪樋６０とを、排水ます１０により接続して構成される。
【００１２】
排水パイプ５０は、後述の図８に示すように建物８０の外壁面８１から突出している。排水パイプ５０は、ステンレス合金等の金属または樹脂により断面が真円である円筒状に形成され、建物８０の内部に配置され、排水パイプ５０の一部が外壁面８１から斜め下方向に突出している。排水パイプ５０の建物内部側は、例えばベランダ（図示せず）の排水口に接続されている。排水パイプ５０は、建物内部側が建物の屋上に設けられた排水口に接続された状態で、一部を建物の外壁面から突出させてもよい。
【００１３】
竪樋６０は、後述の図８に示すように建物８０の外壁面８１に沿うように、外壁面８１に、ほぼ上下方向に沿って後述の控え具９０（図８）により固定される。図１、図４に示すように、竪樋６０は、ステンレス合金等の金属または樹脂により、断面が略八角形の角形筒状に形成される。具体的には、図４に示すように、竪樋６０の長手方向一方側から見た形状は、八角形の１つ置きの４つの辺が中心側に向かって台形状に窪んだ形状である。竪樋６０の長手方向に対し直交する断面の形状も同様である。
【００１４】
図５は、排水ます１０に排水パイプ５０を接続した状態を示している図３のＡ−Ａ断面相当図である。図６は、図５のＢ部拡大図である。図７は、図２のＣ−Ｃ断面図である。
【００１５】
排水ます１０は、竪樋６０の上側に嵌合接続される本体筒部１１と、本体筒部１１の側壁１２から突出するように側壁１２に接続された枝管１３と、本体筒部１１の上部に結合された蓋部２０とを含む。排水ます１０は、ステンレス合金等の金属または樹脂により形成される。図４に示すように、本体筒部１１は、下端部内側に竪樋６０の上端部を嵌合可能な断面略八角形の角形筒状に形成される。
【００１６】
枝管１３は、略円筒状の筒部であり、本体筒部１１の側壁１２から斜め上方向に突出するように、側壁１２に接続される。枝管１３の内側には、排水パイプ５０が挿入されて接続される。図２に示すように、枝管１３の先端面１３ａは、上下方向に沿っている。図３に示すように、枝管１３の先端側開口は、上下方向に長い楕円形状である。これにより、図３において、枝管１３の先端側開口の上下方向長さＤ１は、横方向長さＤ２より大きくなっている（Ｄ１＞Ｄ２）。
【００１７】
さらに、枝管１３は、先端から本体筒部１１との接続端である根元側端に向かって、内周面の上下方向に沿った断面形状が、徐々に真円形状に近づくように形成される。これにより、図６において、枝管１３の先端側開口の上下方向長さＤ１は、根元側端に向かって、徐々に小さくなって横方向長さＤ２（図３）に近づいている。このために、例えば、図６に示すように枝管１３の中心を上下方向に通過する断面の形状において、内周面の上端縁１３ｂの水平方向に対する傾斜角度α１が、内周面の下端縁１３ｃの水平方向に対する傾斜角度α２より大きくなっている（α１＞α２）。横方向長さＤ２は、枝管１３の長手方向の全長にわたる範囲で略同一である。これにより、後述のように、建物８０の外壁面８１に対する突出角度が異なる種々の排水パイプ５０に接続でき、かつ、水漏れの問題を生じない排水ます１０を実現できる。排水ます１０において、好ましくは、枝管１３の内周面の根元側端が、上下方向長さＤ１ａ（図６、図７）が、横方向長さＤ２と同一である真円形状である。
【００１８】
図４、図５に示すように、本体筒部１１の下端部内周面には、内向きフランジ状に下側板部１５が形成される。下側板部１５の中心部には貫通孔１５ａが形成される。図４に示すように貫通孔１５ａは、円形の９０度位相が異なる４つの位置に中心側に向けて矩形枠状に突出する突部１５ｂが形成された形状である。そして、下側板部１５の内周縁部から長手方向に内筒１６が突出しており、下側板部１５の外周縁部から長手方向に外筒１８が突出している。内筒１６の断面形状は貫通孔１５ａの形状と同様である。これにより、内筒１６の外周面の周方向４つの位置には、中心軸が同一である円筒面部１６ａが形成され、隣り合う円筒面部１６ａの間には、貫通孔１５ａの突部１５ｂに対応して、中心側に窪んだ凹部１６ｂが形成される。
【００１９】
一方、外筒１８は、内側に竪樋６０の上端部を嵌合可能であり、本体筒部１１の上側の他の部分と同様の八角筒状である。竪樋が八角筒状以外の角形筒状である場合に、外筒をその形状に応じた角形筒状とすることもできる。竪樋６０の上端部は、外筒１８に内挿するように嵌合される。この状態で竪樋６０の上端は、下側板部１５の下面に突き当たって位置決めされる。なお、後で図９を用いて別例の組み合わせで示すように、竪樋６０の代わりに円筒状の竪樋７０を用いる場合には、内筒１６の外側に外挿するように嵌合される。
【００２０】
蓋部２０は、本体筒部１１の上端に、本体筒部１１の上端開口を塞ぐように結合固定される。蓋部２０は、ステンレス合金等の金属または樹脂により筒部２１（図６）の上端を天板部２２で塞ぐ形状に形成される。天板部２２は、中心に向かって下側に窪むすり鉢状である。蓋部２０は本体筒部１１の上端部の内側に嵌合され、蓋部２０に形成した係止片２３の先端部が本体筒部１１の穴に係止されることにより、本体筒部１１に固定される。
【００２１】
図８を用いて、実施形態の排水ます１０を含む外部排水接続構造１の施工方法を説明する。図８は、実施形態において、建物８０の外壁面８１から突出する排水パイプ５０に排水ます１０を接続すると共に、外壁面８１に竪樋６０を取り付けた施工工程後の状態を示している。施工を行う場合、まず、外壁面８１に控え具９０を取り付ける。控え具９０は、金属板を略Ｌ字形に折り曲げてなる固定部９１と、樋支持部９２とを有する。固定部９１の先端部がネジ等により外壁面８１に固定される。樋支持部９２は、周方向両端部が切離可能な環状に形成されており、樋支持部９２の中間部が固定部９１の外壁面８１側とは反対側の端部に結合される。後述のように、樋支持部９２は、竪樋６０を締め付けた状態で竪樋６０を支持するために用いられる。
【００２２】
その後、排水ます１０を外壁面８１近くに取り付ける前に、控え具９０の固定部９１における壁面側端部と樋支持部側端部との間隔Ｌに応じて、排水ます１０の枝管１３の先端部を、先端面が外壁面８１と平行な上下方向に対応する方向に沿うように切断する。次いで、控え具９０の上記間隔Ｌに応じて排水パイプ５０の先端を、排水パイプ５０の長手方向に対し直交する方向に切断する。
【００２３】
そして、枝管１３の内部において、図８に破線部βで示す排水パイプ５０の嵌合予定部に、周方向に沿って接着剤を塗布するとともに、排水ます１０の外筒１８における竪樋６０の嵌合予定部である内周面にも接着剤を塗布する。次いで、排水パイプ５０を、枝管１３内周面の根元側端近くの突き当たる部分にまで差し込み、その後、控え具９０の樋支持部９２の内側に竪樋６０を緩く挿通しながら、排水ます１０の外筒１８の内側に竪樋６０の上端部を差し込む。枝管１３の内周面の上下方向に沿った断面形状は、枝管１３の先端から根元側端に向かって徐々に真円形状に近づくように形成されるので、円筒状の排水パイプ５０の先端部は、枝管１３の内周面に突き当てた状態で枝管１３に固定しやすい。最後に控え具９０で竪樋６０を締め付けた状態で、控え具９０の周方向一端部を周方向他端部に、爪部等の係合部で係合して、竪樋６０を控え具９０に固定する。これにより、外壁面８１の近くに外部排水接続構造１が施工される。
【００２４】
上記の排水ます１０によれば、枝管１３の先端側開口が上下方向に長い楕円形状であるので、建物８０の外壁面８１に対する突出角度γ（図８）が異なる種々の排水パイプ５０に枝管１３を接続できる。また、枝管１３は、上下方向に沿った断面形状が、先端から根元側端に向かって徐々に真円形状に近づくように形成されるので、排水パイプ５０を円筒状とする場合に、枝管１３と排水パイプ５０との接続部における水漏れの問題を防止できる。これにより、外壁面８１に対する突出角度γが異なる種々の排水パイプ５０に接続でき、かつ、水漏れの問題を生じない排水ます１０を実現できる。具体的には、パッキン等の専用の水密部材を用いることなく、枝管１３と排水パイプ５０とを水密に接続できる。
【００２５】
図５に矢印δ方向で示すように、枝管１３の内部で枝管１３の先端側開口の中心と根元側端の中心とを通る軸１４の方向に対し、上下方向について所定角度内で排水パイプ５０の向きである排水パイプ５０の中心軸５１の方向の微調整を可能に、排水パイプ５０を枝管１３に組み付けることができる。例えば、排水パイプ５０は、軸１４の方向に対し＋側（図５の上側）と−側（図５の下側）とで、それぞれ２°から７°を上限とする範囲で向きを調整可能に設定することができる。好ましくは、排水パイプ５０は、軸１４の方向に対し＋側と−側とで、それぞれ２°を上限とする範囲で向きを調整可能に設定する。これにより、軸１４の方向に対し傾斜角度が異なる種々の排水パイプ５０の接続に、排水ます１０を適用できる。
【００２６】
さらに、枝管１３の内周面の根元側端を真円形状とする場合には、排水パイプ５０の先端が枝管１３内側の根元側端に、より近づくように、排水パイプ５０を枝管１３に差し込むことができる。
【００２７】
図９は、実施形態の排水ます１０に、別例の竪樋７０を接続した状態を示している図４に対応する図である。図９に示す別例の組み合わせでは、竪樋７０は、角形筒状ではなく、円筒状に形成される。竪樋７０の上端部は、排水ます１０の下端部における内筒１６に外挿されて、下側板部１５の下面に突き当てられる。内筒１６の円筒面部１６ａにおける外周面には接着剤が塗布されており、竪樋７０の上端部はこの接着剤により内筒１６に接着して固定される。上記のように、排水ます１０は、下端部に、角形筒状の外筒１８及びその内側の円筒面部１６ａを有する内筒１６が形成されるので、角形筒状及び円筒状といった異なる形状の竪樋６０、７０のいずれも接続できる。
【符号の説明】
【００２８】
１  外部排水接続構造、１０  排水ます、１１  本体筒部、１２  側壁、１３  枝管、１３ａ  先端面、１３ｂ  上端縁、１３ｃ  下端縁、１４  軸、１５  下側板部、１５ａ  貫通孔、１５ｂ  突部、１６  内筒、１６ａ  円筒面部、１６ｂ  凹部、１８  外筒、２０  蓋部、２１  筒部、２２  天板部、２３  係止片、５０  排水パイプ、５１  中心軸、６０，７０  竪樋、８０  建物、８１  外壁面、９０  控え具、９１  固定部、９２  樋支持部。
【図１】
2020133348.tif 000003
【図２】
2020133348.tif 000004
【図３】
2020133348.tif 000005
【図４】
2020133348.tif 000006
【図５】
2020133348.tif 000007
【図６】
2020133348.tif 000008
【図７】
2020133348.tif 000009
【図８】
2020133348.tif 000010
【図９】
2020133348.tif 000011